(57)【要約】  本発明は、バックルに係り、さらに詳細には、バックルのボディーの上部及び下部に固定板を設け、バックルのボディーの内部に中央部が凸状である円弧状の弾性を有する弾性可動板を設け、挿入部に挿入されたベルトを、ボディーの上部に形成された固定板とボディーの内部に形成された弾性可動板とで固定することができるバックルを提供する。【解決手段】  本発明の主要構成は、一側には、ベルトの一端を固定するための固定部が備えられ、他側には、ベルトを固定するためのボディーが備えられた通常のバックルにおいて、前記ボディーの上部及び下部に設けられる固定板と、四つの隅部に突起が備えられ、中央部が凸状である円弧状の弾性可動板と、前記弾性可動板の四つの突起が挿入されるように、楕円溝が左右に形成された両側板と、を備えることを特徴とする。したがって、本発明は、ボディーの上部及び下部に形成された固定板と、ボディーの内部に形成された弾性可動板とを利用してベルトを固定することによって、ベルトに孔や係止爪を形成せずとも容易に締め付けることができ、腹部に力が入るときには、ベルトが緩まるように調節されて、長期間ベルトを使用しても、その品質を維持することができる。【選択図】図１
2010522576.tif 000002
【特許請求の範囲】
【請求項１】
一側には、ベルト（１）の一端を固定するための固定部（２０）が備えられ、他側には、ベルト（１）を固定するためのボディーが備えられる通常のバックル（Ｂ）において、
前記ボディーの上部及び下部にそれぞれ設けられる固定板（１０，１１）と、
四つの隅部に突起（３１）が備えられ、中央部が凸状である円弧状の弾性可動板（３０）と、
前記弾性可動板（３０）の四つの突起（３１）が挿入されるように、楕円溝（１５）が左右に形成された両側板（１４）と、を備えることを特徴とするバックル。
【請求項２】
前記上部固定板（１０）と前記弾性可動板（３０）は、相互に逆の極を有する磁石からなることを特徴とする請求項１に記載のバックル。
【請求項３】
前記弾性可動板（３０）の底面とボディーの下部固定板（１０）との間にバネ（４０）をさらに備えることを特徴とする請求項１または請求項２に記載のバックル。
【請求項４】
ボディーの上部にのみ固定板（１０）が設けられることを特徴とする請求項１または請求項２に記載のバックル。
【発明の詳細な説明】
【技術分野】
【０００１】
本発明は、通常、パンツまたはスカートを着用した後、その着用状態を維持するためにベルトの両端部を締め付けるバックルに係り、さらに詳細には、一側には、ベルトの固定側を固定するための固定部を備え、他側には、ベルトの締め付け側を締め付けるためのボディーを備えるバックルに関する。
【背景技術】
【０００２】
現在、バックルは、ベルトを締め付ける機能だけでなく装飾的な特徴も有する。特に、バックルは、男性服及び女性服における装飾品として使用されている。バックルは、木材、金属材、合成樹脂及び皮革などからなり、円形、四角形などの多様な形状を有する。
【０００３】
ベルトを締め付ける上記バックルの手段は、普通は、ベルトに複数の孔が形成され、バックルには上記孔に対応する突起が形成されて固定する構造を有する。
【０００４】
また、上記ベルトに孔を形成する代わりに、複数の係止爪を形成し、上記係止爪に対応する係止手段をバックルに形成して固定する構造を有することもできる。
【発明の概要】
【発明が解決しようとする課題】
【０００５】
上記のように、従来のバックルは、バルトに孔や係止爪などを形成するため、その製造工程数が多く、それによって、製造コストが上昇し、生産性を低下させる。また、ユーザが長期間ベルトを使用するにつれて、上記孔の幅が広くなったり、上記係止爪が摩耗したりして、使用に不便さを感じさせる。また、ユーザがベルトを緩める度に、手で操作せねばならないという問題点があった。
【課題を解決するための手段】
【０００６】
本発明は、上記問題点を解決するためになされたものであって、ベルトに孔や係止爪などを形成せずともベルトを締め付けることができ、長期間ベルトを使用しても、その品質を維持することができ、また、手で操作せずともベルトを緩めることを可能にすることによって、製造工程数を減らして生産コストを低減させるだけでなく、生産性を向上させることができるバックルを提供するところにその目的がある。
【０００７】
上記目的を達成するために、本発明によれば、一側には、ベルトの一端を固定するための固定部を備え、他側には、ベルトを締め付けるためのボディーを備える通常のバックルは、上記ボディーの上部及び下部にそれぞれ設けられる固定板と、四つの隅部に突起とが備えられ、中央部が凸状である円弧状の弾性可動板と、上記弾性可動板の四つの突起が挿入されるように、楕円溝が左右に形成された両側板と、を備えることを特徴とする。
【０００８】
このとき、ボディーの上部に形成された固定板と、ボディーの内部に形成された弾性可動板とがベルトを締め付ける力を高めるために、上記固定板と上記弾性可動板は、相互に逆の極を有する磁石からなることができ、また、上記ボディーの内部に形成された弾性可動板の底面とボディーの下部に形成された固定板との間にバネをさらに備えることもでき、ボディーの上部にのみ固定板を設けることも可能である。
【発明の効果】
【０００９】
本発明によれば、バックルのボディーの上部に形成された固定板と、バックルのボディーの内部に形成された弾性可動板との間でベルトを締め付けることによって、ベルトに孔や係止爪を形成せずとも容易にベルトを締め付けることができ、また、長期間ベルトの品質を維持することができる。
【００１０】
また、上記ベルトに孔や係止爪を形成しないため、バックルの製造工程数を減らすことができ、それによって生産コストを低減させ、生産性を向上させることができる。
【００１１】
さらに、上記弾性可動板を利用してベルトを締め付けることによって、ユーザが、バックルを締め付ける力より強い力を腹部に加えれば、ベルトは、ボディーの挿入部側へ自然に引き出されて緩まり、ユーザが心地良く感じることができる。
【図面の簡単な説明】
【００１２】
【図１】本発明によるバックルの構成を示す分解斜視図である。
【図２】本発明によるバックルにベルトが挿入される前の状態を示す図である。
【図３】本発明によるバックルにベルトが挿入される状態を示す図である。
【図４】本発明の他の実施形態によるバックルを示す分解斜視図である。
【発明を実施するための形態】
【００１３】
以下、添付した図面に基づいて、本発明の実施形態を詳細に説明する。
【００１４】
図１は、本発明によるバックルの構成を示す分解斜視図であり、図２は、本発明によるバックルにベルトが挿入される前の状態を示す図であり、図３は、
本発明によるバックルにベルトが挿入される状態を示す図である。
【００１５】
図面に示すように、本発明のバックルＢにおいて、一側には、ベルト１の一端２を固定する固定部２０が備えられ、他側には、ベルト１の締め付け側３を締め付けるボディーが備えられる。
【００１６】
すなわち、上記固定部２０の一側には、ベルト１の一端が挿入されて固定されるように、固定挿入部が備えられる。上記固定部２０は通常の構造を有するため、その詳細な説明は省略する。
【００１７】
また、上記ボディーの左右には挿入部１２及び引き出し部１３が備えられて、ベルト１の締め付け側３は、上記挿入部１２に挿入されて、引き出し部１３から引き出される。
【００１８】
一方、上記弾性可動板３０の上部及び下部には固定板１０、１１がそれぞれ設けられ、上記ボディーの内部には、中央部が凸状である円弧状の弾性可動板３０が設けられる。
【００１９】
また、上記弾性可動板３０の四つの隅部には突起３１がそれぞれ形成され、上記突起３１が挿入されるように、ボディーの両側板１４の左右には楕円溝１５がそれぞれ形成される。
【００２０】
上記楕円溝１５は、上記突起３１が上記弾性可動板３０の弾性力によって移動できるように楕円形の孔状に形成されることができる。
【００２１】
したがって、上記弾性可動板３０の各突起３１は、それに対応する楕円溝１５または孔に挿入されるため、上記弾性可動板３０は、その位置を離脱しない状態で弾性を有して動くことができる。
【００２２】
一方、図３に示すように、図２に示す状態で、ユーザ自身が所望するだけベルト１の締め付け側３をボディーの挿入部１２に挿入すれば、上記弾性可動板３０は、ベルト１の厚さによって発生する力によって下方に押し下げられる。また、ユーザがベルト１の締め付け側３を挿入する動作を中断すれば、ベルト１は、ボディーの上部固定板１０と弾性可動板３０との間で圧搾されて固定される。
【００２３】
上記のように、上記弾性可動板３０自体の弾性力によって、上記ベルト１がボディーの上部固定板１１と上記弾性可動板３０との間で圧搾されて固定されるため、ベルト１を固定するために孔や係止爪を設ける必要がない。また、ユーザの腹部にバックルＢの締め付け力より強い力を加えれば、ベルト１は、ボディーの挿入部１２側へ自然に引き出されて緩まり、ユーザが心地良く感じることができる。
【００２４】
また、上記のように、ベルト１がボディーの上部固定板１０と弾性可動板３０との間で圧搾されている状態で、ユーザがベルト１を緩めようとするときには、手でベルト１を挿入部１２の方向に引き抜けばよい。
【００２５】
一方、上部固定板１０及び弾性可動板３０を、磁力を有する磁石から形成することによって、上部固定板１０と弾性可動板３０との間の圧搾力を高めることができる。この場合には、上記固定板１０と弾性可動板３０とが相互に逆の極を有することは言うまでもない。
【００２６】
図４は、本発明の他の実施形態によるバックルを示す分解斜視図である。
【００２７】
図４に示すように、上記弾性可動板３０の底面とボディーの下部固定板１１との間にバネ４０を設けることによって、上部固定板１０と弾性可動板３０との間の圧搾力をさらに高めることができる。このとき、バネ４０がその位置を離脱しないように、ボディーの下部固定板１１に上記バネ４０を挿入するための突起４１を設けることによって上記バネ４０の位置を固定することが好ましい。
【００２８】
また、バックルＢは、ボディーの上部固定板１０と弾性可動板３０との間でベルト１を固定する構造を有するため、ボディーの下部固定板１１を備えなくてもその機能には変化がない。
【００２９】
本発明のバックルにおいて、固定板１０、１１及び弾性可動板３０は多様な形状を有することができ、本発明の範囲内で各部品の多様な設計変更は本発明の技術思想の範囲に属する。
【産業上の利用可能性】
【００３０】
本発明は、バックルの製造工程数を減らして生産コストを低減させ、生産性を向上させることができるため、産業上非常に有効に適用可能である。
【符号の説明】
【００３１】
Ｂ    バックル
１    ベルト
１０    上部固定板
１１    下部固定板
１２    挿入部
１３    引き出し部
１４    両側板
１５    楕円溝
２０    固定部
３０    弾性可動板
３１    突起
【図１】
2010522576.tif 000003
【図２】
2010522576.tif 000004
【図３】
2010522576.tif 000005
【図４】
2010522576.tif 000006
【国際調査報告】
2010522576.tif 000007
2010522576.tif 000008